(57)【要約】【課題】引火点が高く、危険物第４類第３石油類に該当するため、輸送・保管・取扱いに対する法規制が従来品より緩く、宴会場等の喫煙者がいる空間や照明等の電気器具がある場所で露出して使用しても危険性が低く、異臭や刺激臭がなく食品のある場所、飲食する場であっても使用でき、また、化学安定性に優れ、商品として流通や保管に優れる化学発光組成物を提供する。【解決手段】蛍光物質を含むオキサレート溶液との反応によって化学蛍光を与えるための化学発光用組成物であって、フタル酸エステル系溶剤とクエン酸エステル系溶剤の内の少なくとも１の溶剤と、過酸化水素、触媒と（化１）で示すエーテルを主たる成分とする。  【化１】2011137134.tif 000007【選択図】なし【特許請求の範囲】
【請求項１】
蛍光物質を含むオキサレート溶液との反応によって化学蛍光を与えるための化学発光用組成物であって、（ａ）フタル酸エステル系溶剤とクエン酸エステル系溶剤の内の少なくとも１の溶剤と、（ｂ）過酸化水素と、（ｃ）（化１）で示すエーテルと、（ｄ）触媒と、を含有することを特徴とする化学発光用組成物。
【化１】
2011137134.tif 000005
【請求項２】
（Ａ）触媒と、（Ｂ）蛍光物質を含むオキサレート溶液と、の反応によって化学蛍光を与えるための化学発光用組成物であって、（ａ）フタル酸エステル系溶剤とクエン酸エステル系溶剤の内の少なくとも１の溶剤と、（ｂ）過酸化水素と、（ｃ）（化２）で示すエーテルと、を含有することを特徴とする化学発光用組成物。
【化２】
2011137134.tif 000006
【請求項３】
（化１）で示す前記エーテルにおいて、ｘ及びｙの値が２又は３であることを特徴とする請求項１に記載の化学発光用組成物。
【請求項４】
（化２）で示す前記エーテルにおいて、ｘ及びｙの値が２又は３であることを特徴とする請求項２に記載の化学発光用組成物。
【請求項５】
（化１）で示す前記エーテルがジ（プロピレングリコール）ジメチルエーテルであることを特徴とする請求項１に記載の化学発光用組成物。
【請求項６】
（化２）で示す前記エーテルがジ（プロピレングリコール）ジメチルエーテルであることを特徴とする請求項２に記載の化学発光用組成物。
【請求項７】
ｔ−ブタノールが添加されていない、又はｔ−ブタノールが５ｗｔ％以下で添加されていることを特徴とする請求項１乃至６の内いずれか１に記載の化学発光用組成物。
【発明の詳細な説明】
【技術分野】
【０００１】
本発明は、密閉容器内ではなく、人がいる閉鎖空間内で使用する化学発光用組成物であって、異臭や刺激臭がなく、引火性が低く、宴会場などの閉ざされた空間で使用できる化学発光用組成物に関するものである。
【背景技術】
【０００２】
サリチル酸塩、過酸化水素と蛍光物質を含むオキサレート溶液を混合して化学蛍光を得るシステムはすでに公知であり、これらを２液に分離して容器内に密封しておき、必要時に該容器内で混合して蛍光を得る商品が広く市販され、パーティやコンサート、セレモニーなどで発光具として広く利用されている。
近年、容器内に密閉したまま化学発光させるのではなく、結婚披露宴などの会場のような閉鎖空間で、化学発光している液をグラスなどに満たして化学蛍光をアトラクションショーとして、或いはセレモニー会場の装飾として利用するという用途が広がりつつある。
【０００３】
（特許文献1）には、シュウ酸エステル、蛍光物質および溶媒としてクエン酸エステルを含有し、過酸化水素を含有する酸化液と混合した際に化学発光現象を生じる化学発光用蛍光液、及び過酸化水素および溶媒としてクエン酸エステルを含有し、シュウ酸エステル及び蛍光物質を含有する蛍光液と混合した際に化学発光現象を生じる化学発光体用酸化液が開示されている。また実施例１として段落［００３６］欄に溶媒であるクエン酸三エチル９６．４２重量部、８０％過酸化水素３．７５重量部および触媒成分としてサリチル酸ナトリウム０．０１重量部を加えて混合した酸化液が記載されている。
（特許文献２）には、過酸化水素を含んだ組成物とシュウ酸エステル、蛍光物質を含んだ組成物の混合により、化学発光を呈する系において、過酸化水素を含んだ組成物の溶媒としてエチレングリコールモノアルキルエーテルアセテート又はジエチレングリコールモノアルキルエーテルアセテートの少なくとも１つを使用し、シュウ酸エステル及び蛍光物質の溶媒として、アセチルクエン酸エステル又はアセチルクエン酸エステルを含む有機溶媒を使用することが開示されている。また実施の形態として段落［００１５］欄にｔ-ブタノールが入っていない酸化液として、エチレングリコールモノブチルエーテルアセテート５００ｃｃに８５％の過酸化水素水を３５ｇ加え、さらにサリチル酸ナトリウム０．０００８モル／Ｌ加え溶解したものが記載されている。
（特許文献３）には、触媒成分と水溶性色素とを担持させた被発光基材に、シュウ酸誘導体を含有した液体と酸化液とを含む発光溶液を接触させ、基材を発光させて化学発光を行うことが開示されている。
（特許文献４）には、ビス（ｐ−アルキルフェニルエチニル）アントラセンを蛍光発光化合物とし、ケミルミネッセンスを発生させる混合物として使用する方法、及びケミルミネッセンスを発生させる前記化合物の使用方法が記載されている。
【先行技術文献】
【特許文献】
【０００４】
【特許文献１】特開２００６−１０４２６６号公報
【特許文献２】特開２００４−３３１９４７号公報
【特許文献３】特開２００８−２７６２２号公報
【特許文献４】特公平３−２２８５２号公報
【発明の概要】
【発明が解決しようとする課題】
【０００５】
しかしながら、密閉容器内ではなく、化学発光液を喫煙者がいる場所や食品がある場所、飲食をする場所に露出させて利用するには次のような課題があった。
（１）従来の技術では、溶液類や触媒を均一に混合・溶解させ発光を均一にさせるためにｔ−ブタノールを主とするアルコールが含まれるのが一般的であったため、引火点が低く引火しやすいため、喫煙者や照明等の電気器具がある通常の宴会場などで使用するには危険性が高いという課題があった。
（２）溶液にｔ−ブタノールを主とするアルコールが含まれるため、引火点が６０℃以下と低く、消防法上の危険物第４類第２石油類や、危険物船舶運送及び貯蔵規則の引火性危険物、航空法施行規則の危険物に該当し輸送や保管・取扱いには多くの法規制があり広く一般に普及させ難いという課題があった。また、ｔ−ブタノールは難分解性で、長期毒性の疑いがあるため、第２種監視化学物質に指定されている。
（３）ｔ−ブタノール以外の溶媒として特開平３−２２８５２号公報には水；アルコール、例えばエタノール、オクタノール、エーテル、例えばジエチルエーテル、ジアミルエーテルやエステルなどが記載されているが、水では混合性や溶解性が低く均一な発光が得られないため、アルコール類やエーテル類は、引火性が高いか臭気が強くて宴会場などでは使用できないため、従来技術の組成物のｔ−ブタノールを代替することができないという課題があった。
（４）（特許文献１）の実施例に記載された、ｔ-ブタノールを除いた酸化液は粘度が高く、混合性が悪く均一な発光が得られないという課題があった。
（５）（特許文献２）の実施の形態に記載されたｔ−ブタノールを含まない酸化液はアセチル基に由来する酸っぱく鼻を突く不快な臭気が強く、宴会場などの人が飲食をする閉鎖空間では使えないという課題があった。
（６）（特許文献１）及び（特許文献２）の実施例で記載されているｔ−ブタノールを含まない酸化液は、どちらも空気中の水分を吸って白濁したり、成分が凝集・沈殿して発光性能が低下したりするなど安定性が悪く、実際の商品に適用することは困難であるという課題があった。
（７）（特許文献３）に記載の技術では、化学発光に利用する酸化液については従来の組成のものを使用するので、ｔ-ブタノールが含まれており引火点が低く引火しやすいため、喫煙者や照明等の電気器具がある通常の宴会場などで使用するには危険性が高いという課題があった。
【０００６】
本願発明は、上記従来の課題を解決するもので、引火点が高く、消防法における危険物第４類第３石油類に該当するため、輸送・保管・取扱いに対する法規制が従来品より緩く、宴会場等の喫煙者がいる空間や照明等の電気器具がある場所で露出して使用しても危険性が低く、異臭や刺激臭がなく食品のある場所、飲食する場であっても使用でき、また、化学安定性に優れ、商品として流通や保管に優れる化学発光組成物を提供することを目的とする。
【課題を解決するための手段】
【０００７】
上記従来の課題を解決するために本発明の化学発光用組成物は、以下の構成を有している。
請求項１に記載の化学発光用組成物は、蛍光物質を含むオキサレート溶液との反応によって化学蛍光を与えるための化学発光用組成物であって、（ａ）フタル酸エステル系溶剤とクエン酸エステル系溶剤の内の少なくとも１の溶剤と、（ｂ）過酸化水素と、（ｃ）（化１）で示すエーテルと、（ｄ）触媒と、を含有する構成を有する。
【０００８】
【化１】
2011137134.tif 000002
【０００９】
この構成により、以下のような作用が得られる。
（１）フタル酸エステル系溶剤とクエン酸エステル系溶剤の内の少なくとも１の溶剤と（化１）で示すエーテルを溶剤とするので引火性が低く、宴会場など喫煙者がいる場所、照明などの電気器具のある閉鎖空間で使用しても火災の危険性が低い。
（２）人を不快にする異臭や刺激臭がないので、食品売り場や宴会場など人や飲食物が同居する空間であっても使用することができる。
（３）組成物の安定性が高く、常温で保存しても組成物が白濁したり、化学発光性が低下したりしないので流通・保管が容易であり、商品としての取扱い性に優れる。
（４）化学発光を必要とするときにオキサレートと混合するだけで容易に化学発光が得られる２液タイプの化学発光液となり、簡便に使用できる。
（５）揮発性が低いので、透過性のあるプラスチック等の容器で保存した場合でも能力低下が起こりにくい。
（６）蛍光物質を含むオキサレート溶液との溶解性・混合性に優れ、組成物と蛍光物質を含むオキサレート溶液との混合物の動粘度が従来品とほぼ同等であるので、均一な化学発光を得ることができる。
【００１０】
ここで、フタル酸エステル系溶剤としては特に限定しないが、フタル酸ジメチル、フタル酸ジブチル等の従来の技術の酸化液に用いられているものが使用できる。
クエン酸エステル系溶剤としては、特に限定しないが、クエン酸トリエチル、クエン酸トリブチル等の従来の技術の酸化液に用いられているものが使用できる。
（化１）に示したエーテルとしては、特に限定しないが、ジプロピレングリコールジメチルエーテル、ジエチレングリコールジメチルエーテル、ジエチレングリコールジエチルエーテル等が使用できる。ここで（化１）のｘ、ｙは２，３，４のいずれかの整数であり、Ｒ1、Ｒ2はメチル基又はエチル基を示す。ｘとｙが１の場合は引火点が十分に低くならないため好ましくない。またｘとｙが５以上になると蛍光物質を含むオキサレート溶液との溶解性・混合性が下がるため好ましくない。従来の技術の酸化液に用いられていたｔ-ブタノールの代替として、濃度５〜２０ｗｔ％で好適に使用される。５ｗｔ％を下回ると過酸化水素を十分に溶解することができず白濁し好ましくない。２０ｗｔ％を超えると組成物とオキサレート溶液との比重差が大きくなり混合時に分離することがあり好ましくない。
また触媒としては、特に限定しないが、サリチル酸のナトリウム塩、リチウム塩、カリウム塩等が濃度０．００５〜０．０２ｗｔ％で好適に使用できる。０．００５ｗｔ％を下回ると発光強度にバラツキが出る傾向があり好ましくない。また０．０２ｗｔ％を超えると保管中に析出して均一な発光ができなくなる恐れがあり好ましくない。また５−ｔ−ブチルサリチル酸リチウムなどのサリチル酸誘導体の塩や安息香酸及びその誘導体の塩も触媒として使用できる。
過酸化水素の濃度は１．５〜３ｗｔ％が好適に採用される。過酸化水素の濃度が３ｗｔ％を超えると化学反応性が増し、保存容器を損傷したり、酸素ガスが発生したりする恐れがあり好ましくない。また１．５ｗｔ％を下回ると化学発光が弱くなったり化学発光の維持時間が短くなる傾向があり好ましくない。
【００１１】
オキサレート溶液はビス（２，４，５−トリクロロ−６−カルボペントキシフェニル）オキサレートやビス（２，４，５−トリクロロ−６−カルボブトキシフェニル）オキサレート等のシュウ酸エステル又はその誘導体を７〜１０ｗｔ％含むものである。その溶剤には、特に限定しないが、フタル酸シブチル、ｏ−アセチルクエン酸トリブチル、フタル酸ジメチル等が使用できる。
このオキサレート溶液に加える蛍光物質としては、従来のオキサレート溶液に用いられていた９，１０−ビス（４−メトキシフェニル）−２−クロロアントラセンや９，１０−ジフェニルアントラセン等が使用できる。従来から用いられている蛍光物質を用いる場合には濃度０．１０〜１．１４ｗｔ％で好適に採用される。濃度が０．１０ｗｔ％を下回ると発光強度が低く、発光時間が短くなる傾向があり好ましくない。また１．１４ｗｔ％以上加えても濃色効果により発光強度が増大せず発光時間も長くならない傾向があり経済的でなく好ましくない。蛍光物質としてはビス（２，４，５−トリクロロ−６−カルボペントキシフェニル）オキサレートやビス（２，４，５−トリクロロ−６−カルボブトキシフェニル）オキサレート等のシュウ酸エステル又はその誘導体に可溶であり、触媒の存在下で過酸化水素と反応して化学発光をするものであればよい。
【００１２】
この化学発光用組成物の保管は高温多湿を避けた冷暗所がよく、通常の室温であれば約１２ヶ月間保存しても蛍光強度の低下や白濁・沈殿などによる化学発光の不均一化は見られなかった。保管容器の材質は、使用している溶媒に不溶性で密閉できるものであれば特に限定しない。ガラスなど酸素や水蒸気を通しにくいものが好ましく採用される。
【００１３】
請求項１に記載の化学発光用組成物と蛍光物質を含むオキサレート溶液を反応させて化学発光を得るためには、化学発光用組成物と蛍光物質を含むオキサレート溶液を混合するだけでよい。混合比率は蛍光物質を含むオキサレート溶液１重量部に対して化学発光用組成物０．５〜２重量部が好ましく採用される。０．５重量部を下回ると、過酸化水素及びサリチル酸が不足し、初期発光が極端に弱くなり好ましくない。また、２重量部を超えると、初期発光が極端に強くなる反面、発光時間が短くなり好ましくない。
【００１４】
請求項２に記載の化学発光用組成物は、（Ａ）触媒と、（Ｂ）蛍光物質を含むオキサレート溶液と、の反応によって化学蛍光を与えるための化学発光用組成物であって、（ａ）フタル酸エステル系溶剤とクエン酸エステル系溶剤の内の少なくとも１の溶剤と、（ｂ）過酸化水素と、（ｃ）（化２）で示すエーテルと、を含有することを特徴とする構成を有している。
【００１５】
【化２】
2011137134.tif 000003
【００１６】
この構成により、以下のような作用が得られる。
（１）フタル酸エステル系溶剤とクエン酸エステル系溶剤の内の少なくとも１の溶剤と（化２）で示すエーテルを溶剤とするので引火性が低く、宴会場など喫煙者がいる場所や照明など電気器具がある閉鎖空間内で使用しても火災の危険性が低い。
（２）人を不快にする異臭や刺激臭がないので、食品売り場や宴会場など人や食材のある場所や飲食をする場所で使用することができる。
（３）組成物の化学的及び熱的安定性が高く、常温で保存しても組成物が白濁したり、化学発光性が低下したりしないので流通・保管が容易であり、商品としての取扱い性に優れる。
（４）化学発光を必要とするときに触媒と、若しくは触媒を担持させた基材からなる触媒体と化学発光用組成物と蛍光物質を含むオキサレート溶液とを混合するだけで容易に化学発光が得られる２液＋１触媒（又は触媒担持体）タイプの化学発光液となるので、様々な形状の基材上に触媒を担持させておいて、２液の混合物を振りかけて、その基材を発光させる演出ができる。
（５）揮発性が低いので、透過性のあるプラスチック等の容器で保存した場合でも能力低下が起こりにくい。
（６）蛍光物質を含むオキサレート溶液との溶解性・混合性に優れ、組成物と蛍光物質を含むオキサレート溶液との混合物の動粘度が従来品とほぼ同等であるので、均一な化学発光を得ることができる。
【００１７】
触媒、オキサレート溶液、蛍光物質、フタル酸エステル系溶剤、クエン酸エステル系溶剤、過酸化水素は請求項１で記載したものと同様であるので説明を省略する。
また、（化２）で示すエーテルについては請求項１に示した（化１）のエーテルと同じものであるので説明を省略する。
【００１８】
この化学発光用組成物を触媒及びオキサレートと反応させて化学発光を得るためには、触媒自体、若しくは触媒を担持させた基材と蛍光物質を含むオキサレート溶液とを混合するだけでよい。混合比率は蛍光物質を含むオキサレート溶液１重量部に対して化学発光用組成物０．５〜２重量部が好ましく採用される。０．５重量部を下回ると、過酸化水素及びサリチル酸が不足し、初期発光が極端に弱くなり好ましくない。また、２重量部を超えると、初期発光が極端に強くなる反面、発光時間が短くなり好ましくない。
触媒としてサリチル酸ナトリウム自体を用いる場合は、蛍光物質を含むオキサレート溶液１量部に対してサリチル酸塩０．００００５〜０．０００２重量部が好ましく採用される。０．００００５重量部を下回ると発光強度にバラツキが出る傾向があり好ましくない。０．０００２を上回ると溶液での使用では溶解残渣により混合液が濁る可能性があり好ましくない。
【００１９】
この化学発光用組成物の保管は高温多湿を避けた冷暗所でよく、通常の室温であれば約１２ヶ月間保存しても蛍光強度の低下や白濁・沈殿などによる化学発光の不均一化は見られなかった。保管容器の材質は、使用している溶媒に不溶性で密閉できるものであれば特に限定しない。ガラスなど酸素や水蒸気を通しにくいものが好ましく採用される。
【００２０】
請求項３に記載の化学発光用組成物は請求項１に記載の化学発光用組成物であって、（化１）で示す前記エーテルにおいてｘ及びｙの値が２又は３である構成を有している。
この構成により、請求項１の作用に加えて、以下のような作用が得られる。
（１）（化１）でｘ及びｙの値が２又は３であるエーテルは引火性が低い上に、サリチル酸塩、オキサレートを溶解する能力が高く、また、フタル酸エステル系溶剤、クエン酸エステル系溶剤、過酸化水素とよく混じりあい、分離したり、白濁などを生じにくいので、従来の酸化液のｔ-ブタノールの役割を代替でき、尚且つ安全で化学安定性がよい。
（２）（化１）でｘ及びｙの値が２又は３であるエーテルは不愉快な異臭や刺激臭がないので宴会場など飲食をする場所での利用が可能となる。
（３）（化１）でｘ及びｙの値が２又は３であるエーテルは揮発性が低いので、透過性のあるプラスチック等の容器で保存した場合でも能力低下が起こりにくい。
【００２１】
ここで、（化１）でｘ及びｙの値が２又は３であるエーテルの濃度は従来の技術の酸化液に用いられていたｔ-ブタノールの代替として、５〜２０ｗｔ％が好ましく採用される。５ｗｔ％を下回ると過酸化水素を十分に溶解することができず白濁し好ましくない。２０ｗｔ％を超えると組成物とオキサレート溶液との比重差が大きくなり混合時に分離することがあり好ましくない。
【００２２】
請求項４に記載の化学発光用組成物は請求項２に記載の化学発光用組成物であって、（化２）で示す前記エーテルにおいてｘ及びｙの値が２又は３である構成を有している。
この構成により、請求項１の作用に加えて、以下のような作用が得られる。
（１）（化２）でｘ及びｙの値が２又は３であるエーテルは引火性が低い上に、サリチル酸塩、オキサレートを溶解する能力が高く、また、フタル酸エステル系溶剤、クエン酸エステル系溶剤、過酸化水素とよく混じりあい、分離したり、白濁などを生じにくいので、従来の酸化液のｔ-ブタノールの役割を代替でき、尚且つ安全で化学安定性がよい。
（２）（化２）でｘ及びｙの値が２又は３であるエーテルは不愉快な異臭や刺激臭がないので宴会場など飲食をする場所での利用が可能となる。
（３）（化２）でｘ及びｙの値が２又は３であるエーテルは揮発性が低いので、透過性のあるプラスチック等の容器で保存した場合でも能力低下が起こりにくい。
【００２３】
ここで、（化１）でｘ及びｙの値が２又は３であるエーテルの濃度は従来の技術の酸化液に用いられていたｔ-ブタノールの代替として、５〜２０ｗｔ％が好ましく採用される。５ｗｔ％を下回ると過酸化水素を十分に溶解することができず白濁し好ましくない。２０ｗｔ％を超えると組成物とオキサレート溶液との比重差が大きくなり混合時に分離することがあり好ましくない。
【００２４】
請求項５に記載の化学発光用組成物は請求項１に記載の化学発光用組成物であって、（化１）で示す前記エーテルがジ（プロピレングリコール）ジメチルエーテルである構成を有している。
この構成により、請求項１の作用に加えて、以下のような作用が得られる。
（１）ジ（プロピレングリコール）ジメチルエーテルは引火性が低い上に、サリチル酸塩、オキサレートを溶解する能力が高く、また、フタル酸エステル系溶剤、クエン酸エステル系溶剤、過酸化水素とよく混じりあい、分離したり、白濁などを生じにくいので、従来の酸化液のｔ-ブタノールの役割を代替でき、尚且つ安全で化学安定性がよい。
（２）ジ（プロピレングリコール）ジメチルエーテルは不愉快な異臭や刺激臭がないので宴会場など飲食をする場所での利用が可能となる。
（３）ジ（プロピレングリコール）ジメチルエーテルは揮発性が低いので、透過性のあるプラスチック等の容器で保存した場合でも能力低下が起こりにくい。
【００２５】
ここで、ジ（プロピレングリコール）ジメチルエーテルの濃度は従来の技術の酸化液に用いられていたｔ-ブタノールの代替として、５〜２０ｗｔ％が好ましく採用される。５ｗｔ％を下回ると過酸化水素を十分に溶解することができず白濁し好ましくない。２０ｗｔ％を超えると組成物とオキサレート溶液との比重差が大きくなり混合時に分離することがあり好ましくない。
【００２６】
請求項６に記載の化学発光用組成物は請求項２に記載の化学発光用組成物であって、（化２）で示す前記エーテルがジ（プロピレングリコール）ジメチルエーテルである構成を有している。
この構成により、請求項２で得られる作用に加えて、以下のような作用が得られる。
（１）ジ（プロピレングリコール）ジメチルエーテルは引火性が低い上に、サリチル酸塩、オキサレートを溶解する能力が高く、また、フタル酸エステル系溶剤、クエン酸エステル系溶剤、過酸化水素とよく混じりあい、分離したり、白濁などを生じにくいので、従来の酸化液のｔ-ブタノールの役割を代替でき、尚且つ安全で化学安定性がよい。
（２）ジ（プロピレングリコール）ジメチルエーテルは不愉快な異臭や刺激臭がないので宴会場など飲食をする場所での利用が可能となる。
（３）ジ（プロピレングリコール）ジメチルエーテルは揮発性が低いので、透過性のあるプラスチック等の容器で保存した場合でも能力低下が起こりにくい。
【００２７】
ここでジ（プロピレングリコール）ジメチルエーテルの濃度は従来の技術の酸化液に用いられていたｔ-ブタノールの代替として、５〜２０ｗｔ％が好ましく採用される。５ｗｔ％を下回ると過酸化水素を十分に溶解することができず白濁し好ましくない。２０ｗｔ％を超えると組成物とオキサレート溶液との比重差が大きくなり混合時に分離することがあり好ましくない。
【００２８】
請求項７に記載の化学発光用組成物は請求項１乃至６の内いずれか１に記載の化学発光用組成物であって、ｔ−ブタノールが添加されていない、又はｔ−ブタノールが５ｗｔ％以下で添加される構成を有している。
この構成により、請求項１乃至６の内いずれか１の作用に加えて、以下のような作用が得られる。
（１）t-ブタノールが添加されていない、又はｔ−ブタノールの含有量が５ｗｔ％以下であるので、引火点が７０℃以上となり、消防法における危険物第４類第３石油類に該当するため、労働安全衛生法、消防法、航空法施行規則、危険物船舶運送及び貯蔵規則等による輸送・保管・取扱いに対する法規制が従来品よりも緩やかである。特に、指定数量が従来品の倍であるので、製造，販売，管理において取扱い性にすぐれる。
（２）ｔ-ブタノールは（化１）又は（化２）に示されたエーテルよりもはるかに安価であるので、ｔ-ブタノール全量を（化１）又は（化２）に示されたエーテルで置き換えないことでコストを削減できる。
【００２９】
ここで、t-ブタノールの含有量が４ｗｔ％を超えると引火点が７０℃以下となり、引火性が高くなり、消防法上での危険物第４類第２石油類となり保管や取扱いに対する法規制が厳しくなり、宴会場など火気のある閉鎖空間での使用では危険性が高くなるため好ましくない。さらに５ｗｔ％を超えると引火点が６０℃以下となり、さらに引火性が高くなり、危険物船舶運送及び貯蔵規則の引火性危険物、航空法施行規則の危険物に該当し輸送や保管・取扱いには多くの法規制があるため、簡便な使用ができなくなるばかりでなく商品の流通・保管にも量や場所、届出など注意すべきことが増え、好ましくない。
【発明の効果】
【００３０】
以上のように、本発明の化学発光用組成物によれば、以下のような有利な効果が得られる。
請求項１に記載の発明によれば、
（１）フタル酸エステル系溶剤とクエン酸エステル系溶剤の内の少なくとも１の溶剤と（化１）で示すエーテルを溶剤とするので引火性が低く、宴会場など喫煙者がいる場所、照明など電気器具がある空間で使用しても危険性が低い化学発光用組成物を提供できる。
（２）人を不快にする異臭や刺激臭がないので、食品売り場や宴会場など人や飲食物がある場所、飲食をする空間等、使用できる空間を著しく広げることが可能な化学発光用組成物を提供できる。
（３）組成物の化学的及び熱的安定性が高く、常温で保存しても組成物が白濁したり、化学発光性が低下したりしないので流通・保管が容易であり、商品としての取扱い性に優れる化学発光用組成物を提供できる。
（４）化学発光を必要とするときにオキサレートと混合するだけで容易に化学発光が得られる２液タイプの化学発光液となり、簡便に使用できる化学発光用組成物を提供できる化学発光用組成物を提供できる。
（５）揮発性が低いので、透過性のあるプラスチック等の容器で保存した場合でも能力低下が起こりにくい化学発光用組成物を提供できる。
（６）組成物と蛍光物質を含むオキサレート溶液との混合物の動粘度が従来品とほぼ同等であるので混合性に優れ、均一な化学発光を得ることができる化学発光用組成物を提供できる。
【００３１】
請求項２に記載の発明によれば、請求項１に記載の発明によって得られる効果に加え、
（１）化学発光を必要とするときにサリチル酸塩とオキサレートと混合するだけで容易に化学発光が得られる２液＋１触媒（又は触媒担持体）タイプの化学発光液となるので、様々な形状の基材上に触媒を担持させておいて、２液の混合物を振るだけでその基材を発光させる演出ができる化学発光用組成物を提供できる。
【００３２】
請求項３に記載の発明によれば、請求項１に記載の発明によって得られる効果に加え、
（１）（化１）でｘ及びｙの値が２又は３であるエーテルは引火性が低い上に、サリチル酸塩、オキサレートを溶解する能力が高く、また、フタル酸エステル系溶剤、クエン酸エステル系溶剤、過酸化水素とよく混じりあい、分離したり、白濁などを生じにくいので、従来の酸化液のｔ-ブタノールの役割を代替でき、尚且つ安全で化学安定性がよい化学発光用組成物を提供できる。
（２）（化１）でｘ及びｙの値が２又は３であるエーテルは不愉快な異臭や刺激臭がないので宴会場など飲食をする場所での利用が可能となる化学発光用組成物を提供できる。
（３）（化１）でｘ及びｙの値が２又は３であるエーテルは揮発性が低いので、透過性のあるプラスチック等の容器で保存した場合でも能力低下が起こりにくい化学発光用組成物を提供できる。
【００３３】
請求項４に記載の発明によれば、請求項２に記載の発明によって得られる効果に加え、
（１）（化２）でｘ及びｙの値が２又は３であるエーテルは引火性が低い上に、サリチル酸塩、オキサレートを溶解する能力が高く、また、フタル酸エステル系溶剤、クエン酸エステル系溶剤、過酸化水素とよく混じりあい、分離したり、白濁などを生じにくいので、従来の酸化液のｔ-ブタノールの役割を代替でき、尚且つ安全で化学安定性がよい化学発光用組成物を提供できる。
（２）（化２）でｘ及びｙの値が２又は３であるエーテルは不愉快な異臭や刺激臭がないので宴会場など飲食をする場所での利用が可能となる化学発光用組成物を提供できる。
（３）（化２）でｘ及びｙの値が２又は３であるエーテルは揮発性が低いので、透過性のあるプラスチック等の容器で保存した場合でも能力低下が起こりにくい化学発光用組成物を提供できる。
【００３４】
請求項５に記載の発明によれば、請求項１に記載の発明によって得られる効果に加え、
（１）ジ（プロピレングリコール）ジメチルエーテルは引火性が低い上に、サリチル酸塩、オキサレートを溶解する能力が高く、また、フタル酸エステル系溶剤、クエン酸エステル系溶剤、過酸化水素とよく混じりあい、分離したり、白濁などを生じにくいので、従来の酸化液のｔ-ブタノールの役割を代替でき、尚且つ安全で化学安定性がよい化学発光用組成物を提供できる。
（２）ジ（プロピレングリコール）ジメチルエーテルは不愉快な異臭や刺激臭がないので宴会場など飲食をする場所での利用が可能となる化学発光用組成物を提供できる。
（３）ジ（プロピレングリコール）ジメチルエーテルは揮発性が低いので、透過性のあるプラスチック等の容器で保存した場合でも能力低下が起こりにくい化学発光用組成物を提供できる。
【００３５】
請求項６に記載の発明によれば、請求項２に記載の発明によって得られる効果に加え、
（１）ジ（プロピレングリコール）ジメチルエーテルは引火性が低い上に、サリチル酸塩、オキサレートを溶解する能力が高く、また、フタル酸エステル系溶剤、クエン酸エステル系溶剤、過酸化水素とよく混じりあい、分離したり、白濁などを生じにくいので、従来の酸化液のｔ-ブタノールの役割を代替でき、尚且つ安全で化学安定性がよい化学発光用組成物を提供できる。
（２）ジ（プロピレングリコール）ジメチルエーテルは不愉快な異臭や刺激臭がないので宴会場など飲食をする場所での利用が可能となる化学発光用組成物を提供できる。
（３）ジ（プロピレングリコール）ジメチルエーテルは揮発性が低いので、透過性のあるプラスチック等の容器で保存した場合でも能力低下が起こりにくい化学発光用組成物を提供できる。
【００３６】
請求項７に記載の発明によれば、請求項１乃至６の内いずれか１に記載の発明によって得られる効果に加え、
（１）t-ブタノールが添加されていない、又はｔ−ブタノールの含有量が５ｗｔ％以下であるので、引火点が７０℃以上となり、消防法における危険物第４類第３石油類に該当するため、労働安全衛生法、消防法、航空法施行規則、危険物船舶運送及び貯蔵規則等による輸送・保管・取扱いに対する法規制が従来品よりも緩やかであり、指定数量が従来品の倍であるため製造，販売，管理の面においても取り扱い性に優れた化学発光用組成物を提供できる。
（２）ｔ-ブタノールは（化１）又は（化２）に示されたエーテルよりもはるかに安価であるので、ｔ-ブタノール全量を（化１）又は（化２）に示されたエーテルで置き換えないことでコストを削減できる化学発光用組成物を提供できる。
【発明を実施するための形態】
【００３７】
以下、実施の形態により本発明を具体的に説明する。なお、本発明はこれらの実施の形態に限定されるものではない。
（実施の形態１）
＜化学発光用組成物の調製＞
フタル酸エステル系溶剤とクエン酸エステル系溶剤の内の少なくとも１の溶剤に対して、８０ｗｔ％過酸化水素を濃度２．７ｗｔ％で、触媒としてサリチル酸塩を濃度０．００７ｗｔ％で、ジ（プロピレングリコール）ジメチルエーテルを濃度７．８ｗｔ％で加えてよく混合して溶解した液を化学発光用組成物Ａとする。
＜蛍光物質を含むオキサレート溶液の調製＞
従来の２液タイプの化学発光システムで使用されていた蛍光物質を含むオキサレート溶液の組成がそのまま利用できる。以下にその組成の一例を示す。
フタル酸ジブチルを溶剤としてシュウ酸エステルを濃度８ｗｔ％、蛍光物質を濃度０．１２ｗｔ％で溶解した液をオキサレート溶液Ｂとする。
・使用に当たっては、化学発光用組成物Ａとオキサレート溶液Ｂを体積比率でＡ：Ｂ＝１：１で混合するだけでよい。混合直後からこの混合液は強い化学発光を凡そ１２０分間継続するので、この混合液をグラスなどに分注して、ディスプレーやアトラクションとして利用できる。
フタル酸エステル系溶剤とクエン酸エステル系溶剤としてはフタル酸ジメチル、フタル酸ジブチル、クエン酸トリエチルなどが使用できる。触媒としてはサリチル酸のナトリウム塩やリチウム塩等が採用できる。
【００３８】
（実施の形態２）
フタル酸エステル系溶剤とクエン酸エステル系溶剤の内の少なくとも１の溶剤に対して、８０ｗｔ％過酸化水素を濃度２．７ｗｔ％で、ジ（プロピレングリコール）ジメチルエーテルを濃度７．８ｗｔ％で加えてよく混合して溶解した液を化学発光溶組成物Ｃとする。
次に蛍光物質を含まないオキサレート溶液を調製する。従来の２液＋１触媒タイプの化学発光システムで使用されていた蛍光物質を含まないオキサレート溶液の組成がそのまま利用できる。以下にその組成の一例を示す。
フタル酸ジブチルを溶剤としてシュウ酸エステルを濃度８ｗｔ％溶解した液をオキサレート溶液Ｄとする。
布などの素材で花やキャラクターなどの形状に作製した担持体に蛍光物質とサリチル酸塩を担持させた被発光体を作製する。
使用に当たっては、Ｃ液とＤ液を体積比率で１：１に混合した混合液を被発光体に浸漬するか、非発光体に混合液を振り掛ける等するだけでよい。実施の形態１同様に混合直後からこの被発光体は強い化学発光を凡そ１２０分間継続するので、この混合液をグラスなどに分注して、ディスプレーやアトラクションとして利用できる。
【００３９】
本願の実施の形態１及び実施の形態２は以上の構成からなるので、次のようなすぐれた効果を示す。
（１）フタル酸エステル系溶剤とクエン酸エステル系溶剤の内の少なくとも１の溶剤とジ（プロピレングリコール）ジメチルエーテルを溶剤とするので引火性が低く、宴会場など喫煙者がいる場所や照明など電気器具がある空間で使用しても火災の危険性が低い。
（２）ジ（プロピレングリコール）ジメチルエーテルは人を不快にする異臭や刺激臭がないので、宴会場など人や飲食物と同じ閉鎖空間で使用することができる。
（３）組成物の化学的及び熱的安定性が高く、常温で保存しても組成物が白濁したり、化学発光性が低下したりしないので流通・保管が容易であり、商品としての取扱い性に優れる。
（４）化学発光を必要とするときに蛍光物質を含むオキサレート溶液と混合するだけで容易に化学発光が得られる２液タイプの化学発光液、又はオキサレート溶液と混合し触媒であるサリチル酸塩と接触させるだけで容易に化学発光が得られる２液＋１触媒タイプの化学発光液となり、簡便に使用できる。
（５）t-ブタノールを含まないので、引火性が低く安全であり、消防法における危険物第４類第３石油類に該当するため、規制が従来品よりも緩やかであり、取扱い性に優れる。
（６）ジ（プロピレングリコール）ジメチルエーテルは引火性が低い上に、サリチル酸塩、オキサレートを溶解する能力が高く、また、フタル酸エステル系溶剤、クエン酸エステル系溶剤、過酸化水素とよく混じりあい、分離したり、白濁などを生じにくいので、安全で安定性がよい化学発光用組成物を提供できる。
【００４０】
（実施例１）
以下、実施例及び比較例により本発明をさらに具体的に説明する。なお、本発明はこれらの実施例に限定されるものではない。
５７．５重量部のフタル酸ジブチルと、２１．０重量部のフタル酸ジメチル、１１．０重量部のクエン酸トリエチル、７．８重量部のジ（プロピレングリコール）ジメチルエーテル、２．７重量部の８０ｗｔ％過酸化水素水をよく混合し、これにサリチル酸ナトリウムを０．００７ｗｔ％で溶解し化学発光用組成物とした。
【００４１】
（比較例１）
５６．３重量部のフタル酸ジブチルと３２．０重量部のフタル酸ジメチル、９．０重量部のｔ−ブタノール、２．７重量部の８０ｗｔ％過酸化水素水をよく混合し、これにサリチル酸ナトリウムを０．００７ｗｔ％で溶解し化学発光用組成物とした。
【００４２】
（比較例２）
５８．３重量部のフタル酸ジブチルと３４．０重量部のフタル酸ジメチル、５．５重量部のｔ−ブタノール、２．７重量部の８０ｗｔ％過酸化水素水をよく混合し、これにサリチル酸ナトリウムを０．００７ｗｔ％で溶解し化学発光用組成物とした。
【００４３】
（比較例３）
９６．４２重量部のクエン酸トリエチルと３．７５重量部の８０ｗｔ％過酸化水素水、サリチル酸ナトリウムを０．０１重量部で混合し化学発光用組成物とした。
【００４４】
９１．９重量部のフタル酸ジブチルに対して、８．０重量部のシュウ酸ビス（２，４，５−トリクロロ−６−カルボペントキシフェニル）オキサレート、０．１２重量部の９、１０−ビス（４−メトキシフェニル）−２−クロロアントラセンをよく混合したオキサレート溶液Ｅに実施例１で作製した化学発光用組成物又は比較例１乃至３で作製した化学発光用組成物を各々体積比で１：１になるように混合し、その発光を肉眼で比較した。
実施例１と比較例１及び比較例２では混合性に差は認められず、均一な発光を得られた。またその発光強度にも差が見られなかった。また混合から１０分後、及び３０分後、１時間後の発光については同等な発光強度であった。発光時間は約２時間継続し、両者の差はほとんど認められなかった。
一方、比較例３では２液の混合性が非常に悪く、分離した状態で発光し、強く攪拌しても均一な発光を得ることができなかった。
比較例１は従来技術の場合であり、比較例３は（特許文献１）の段落［００３６］に記載されたｔ-ブタノールを含まない実施例と同じ場合である。よって実施例１による組成物は従来技術同等の発光性能を示すこと、従来品と同様の混合性を示し、実使用できることが示された。
【００４５】
実施例１で作製した組成物と比較例１及び比較例２で作製した組成物について引火点を測定した。引火点の測定は日鉄環境エンジニアリング株式会社環境テクノ事業本部九州センター化学分析部に依頼しＪＩＳ−Ｋ−２２６５−１に準拠して実施した。
その結果、実施例１で作製した組成物の引火点は１０８．２℃であり、室温での通常使用では安全と考えられる消防法の第３石油類に該当するものであるのに対して、従来技術品である比較例１で作製した組成物の引火点は２６．２℃、比較例２で作製した組成物の引火点は５９．２℃であり、消防法の第２石油類、危険物船舶運送及び貯蔵規則の引火性危険物、航空法施行規則の危険物に該当し輸送や保管・取扱いには、量や場所、届出など多くの法規制があることがわかった。
【００４６】
実施例１で作製した組成物と比較例１及び比較例３で作製した組成物について動粘度を測定した。測定温度２３℃において、実施例１の組成物は１１．８×１０-6ｍ2／ｓ、比較例１の組成物は１１．４×１０-6ｍ2／ｓ、比較例３の組成物は２２．８×１０-6ｍ2／ｓであった。溶液Ａが従来技術の組成物（比較例１と同等の動粘度であることが示された。一方、（特許文献１）の段落［００３６］に記載されたｔ-ブタノールを含まない実施例の組成物（比較例３）は粘度が高いことが示された。これが比較例３の組成物の混合性が悪い原因の一つと考えられる。
【００４７】
実施例１及び比較例１で作成した組成物について、各組成物を別々の１００ｍＬビーカーに２０ｍＬ加え、２５℃に設定した空調の風が当たる場所に約１時間放置し、白濁試験を行った。この結果、実施例１の組成物は白濁しなかった。比較例１の組成物は白濁し、刺激のあるアルコール臭が消えていた。
また、試験後の組成物に、オキサレート溶液Ｅを各々体積比で１：１になるよう混合し、発光性能を見た。その結果、実施例１に比べ比較例１の発光は弱かった。さらに、比較例１の組成物はｔ-ブタノールが気化蒸発したことで比重が重く、粘性が高くなり、混合性も悪かった。
【００４８】
（実施例２）
４５．３重量部のフタル酸ジブチルと、２１．０重量部のフタル酸ジメチル、１１．０重量部のクエン酸トリエチル、２０．０重量部のジ（プロピレングリコール）ジメチルエーテル、２．７重量部の８０ｗｔ％過酸化水素水をよく混合し、これにサリチル酸ナトリウムを０．００７ｗｔ％で溶解し化学発光用組成物とした。
【００４９】
（比較例４）
６１．３重量部のフタル酸ジブチルと、２１．０重量部のフタル酸ジメチル、１１．０重量部のクエン酸トリエチル、４．０重量部のジ（プロピレングリコール）ジメチルエーテル、２．７重量部の８０ｗｔ％過酸化水素水をよく混合し、これにサリチル酸ナトリウムを０．００７ｗｔ％で溶解し化学発光用組成物とした。
【００５０】
（比較例５）
３５．３重量部のフタル酸ジブチルと、２１．０重量部のフタル酸ジメチル、１１．０重量部のクエン酸トリエチル、３０．０重量部のジ（プロピレングリコール）ジメチルエーテル、２．７重量部の８０ｗｔ％過酸化水素水をよく混合し、これにサリチル酸ナトリウムを０．００７ｗｔ％で溶解し化学発光用組成物とした。
【００５１】
オキサレート溶液Ｅに実施例２で作成した組成物又は比較例４及び５で作製した組成物を各々体積比で１：１になるように混合し、その発光を肉眼で比較した。
実施例２においては、実施例１と混合性の差は見られず、実施例１と同様に均一な発光が約２時間継続した。比較例４では、作製した組成物が白濁したため、オキサレート溶液Ｅとの混合は行わなかった。また、比較例５では、組成物とオキサレート溶液Ｅの比重差が大きいため下層部にオキサレート溶液Ｅ、上層部に比較例５の組成物が分離した状態となり、激しく振って混合することで均一な発光が得られた。ここで、比較例４において、組成物が白濁した理由は、過酸化水素を十分に溶解することが出来なかったためだと推測される。
この結果から、酸化剤として用いられていたｔ−ブタノールの代替えとして、エーテルを用いる場合、５ｗｔ％を下回ると過酸化水素を十分に溶解することができず白濁し好ましくないことがわかった。また、２０ｗｔ％を超えると組成物とオキサレート溶液との比重差が大きくなり混合時に分離することがあり好ましくないことがわかった。
【００５２】
実施例２、比較例４及び５で作製した組成物において、その引火点を（数１）を用いて算出した。
【００５３】
【数１】
2011137134.tif 000004
【００５４】
その結果、実施例２で作製した組成物の引火点は１１６℃、比較例４で作製した組成物の引火点は８９℃、比較例５で作製した組成物の引火点は８１℃であった。そのため、ｔ−ブタノールの代替えとして、ジ（プロピレングリコール）ジメチルエーテルを用いた場合、室温での通常使用では安全と考えられる消防法の危険物第４類第３石油類に該当するものであることがわかった。よって、消防法、危険物船舶運送及び貯蔵規則、航空法施行規則など多くの法規制による制約が緩和され、その分適応場所が増えるとともに取扱い性に優れることが示された。
【００５５】
（実施例３）
エーテルにジエチレングリコールジメチルエーテルを用い、７．８重量部混合した以外は実施例１と同様の化学発光用組成物とした。
【００５６】
（実施例４）
エーテルにジエチレングリコールジエチルエーテルを用い、７．８重量部混合した以外は実施例１と同様の化学発光用組成物とした。
【００５７】
（実施例５）
エーテルにジエチレングリコールエチルメチルエーテルを用い、７．８重量部混合した以外は実施例１と同様の化学発光用組成物とした。
【００５８】
オキサレート溶液Ｅに実施例３乃至５で作製した組成物を各々体積比で１：１になるよう混合し、その発光を肉眼で確認したところ、実施例１及び２と同様に均一な発光が約２時間継続した。
よって、実施例３乃至５に記載のエーテルを用いた化学発光用組成物においても、実施例１と同様に従来品と同等の発光性能と混合性を示すことが示された。
【００５９】
実施例３乃至５で作製した組成物において、その引火点を実施例２と同様に（数１）を用いて算出した。
その結果、実施例３で作製した組成物の引火点は９９℃、実施例４で作製した組成物の引火点は１２７℃、実施例５で作製した組成物の引火点は１０４℃であった。よって、ｔ−ブタノールの代替えとして、実施例３乃至実施例５に記載のエーテルを用いた場合であっても、室温での通常使用では安全と考えられる消防法の危険物第４類第３石油類に該当するものであることがわかった。よって、実施例１及び２と同様に、消防法、危険物船舶運送及び貯蔵規則、航空法施行規則など多くの法規制による制約が緩和され、その分、取扱い性に優れることが示された。
【００６０】
実施例３乃至５の結果から、本願発明の化学発光組成物が、従来品と同等の発光性能を持つことが示された。また、実施例３乃至５の組成物において、引火点が高く、従来品よりも操作性及び安全性の面で優れることが示された。
【００６１】
（実施例６）
２１．０重量部のフタル酸ジメチルと、５７．５重量部のフタル酸ジブチル、１１．０重量部のクエン酸トリエチル、７．８重量部のジ（プロピレングリコール）ジメチルエーテル、２．７重量部の８０ｗｔ％過酸化水素水をよく混合して溶解し化学発光用組成物とした。
【００６２】
サリチル酸ナトリウム１ｍｇと実施例６の組成物１ｍＬ及びオキサレート溶液Ｅ１ｍＬを混合したところ、青色の化学ルミネッセンス発光が生じ、約２時間発光が持続した。  
【００６３】
（実施例７）
３０．０重量部のフタル酸ジメチルと、５２．３重量部のフタル酸ジブチル、１５．０重量部のジ（プロピレングリコール）ジメチルエーテル、２．７重量部の８０ｗｔ％過酸化水素水をよく混合し、これにサリチル酸ナトリウムを０．００７ｗｔ％で溶解し化学発光用組成物とした。
【００６４】
実施例７の組成物１ｍＬ及びオキサレート溶液Ｅ１ｍＬを混合したところ、青色の化学ルミネッセンス発光が生じ、均一な発光が約２時間持続した。
【００６５】
（実施例８）
８２．３重量部のクエン酸トリエチルと、１５．０重量部のジ（プロピレングリコール）ジメチルエーテル、２．７重量部の８０ｗｔ％過酸化水素水をよく混合し、これにサリチル酸ナトリウムを０．００７ｗｔ％で溶解し化学発光用組成物とした。
【００６６】
実施例８の組成物１ｍＬ及びオキサレート溶液Ｅ１ｍＬを混合したところ、青色の化学ルミネッセンス発光が生じ、均一な発光が約２時間持続した。
【００６７】
実施例１乃至８の組成物及び、３４重量部のフタル酸ジメチルと、６０．８重量部のフタル酸ジブチル、２．５重量部のｔ-ブタノール、２．７重量部の８０％過酸化水素をよく混合し、これにサリチル酸ナトリウムを０．００７ｗｔ％で混合した化学発光用組成物Ｆについて、各組成物を別々の１００ｍＬビーカーに２０ｍＬ加え、臭気テストを行った。この結果、実施例１乃至８の組成物には、不快な異臭及び刺激臭がなかった。しかし、化学発光要素生物Ｆには、弱いが独特の不快な刺激臭があった。
【００６８】
実施例１乃至８、比較例４及び５の組成物について、各組成物１００ｍＬをガラス製ボトルに入れ、６０℃における加熱加速保存で２ヶ月間、常温で１年間保管し、保存安定性試験を行った。比較例４及び５の組成物については、時間の都合で常温で１年間保管した場合の保存安定性試験は行わなかった。
加熱加速保存の結果、実施例１乃至８の組成物に変化はかった。また、加熱加速保存後の実施例１乃至８の組成物に実施例３で作成したオキサレート溶液Ｅを体積比で１：１になるよう混合したろころ、均一な発光が確認された。しかし、比較例４の組成物は白濁し、比較例５の組成物は混合性が悪くなった。常温保管の結果においても、実施例１乃至８の組成物に変化はなかった。また、常温保存後の実施例１乃至８の組成物とオキサレート溶液Ｅを体積比で１：１になるよう混合したところ、均一な発光が確認された。
【産業上の利用可能性】
【００６９】
本願に記載の発明により、引火点が高く、危険物第４類第３石油類に該当するため、輸送・保管・取扱いに対する法規制が従来品より緩く、宴会場等の喫煙者がいる空間や照明等の電気器具がある場所で露出して使用しても危険性が低く、異臭や刺激臭がなく食品のある場所、飲食する場であっても使用でき、また、化学安定性に優れ、商品として流通や保管に優れる化学発光組成物を提供することができる。